(57)【要約】【課題】操作つまみが覆うケースの貫通孔を容易に小さくできて小型化が図れ、ロック用つまみによってロックできる位置を所望の一又は複数箇所に設置できる操作つまみのロック機構を提供する。【解決手段】貫通孔８１を設けたケース８０と、押圧部挿入部１０１を設けた操作つまみ１００と、ケース８０を介して操作つまみ１００と連結されてスライド移動する摺動型物３０と、ケース８０と摺動型物３０の間に設置される基部６１の上面に押圧部６３を設けてなるロック用つまみ６０と、ロック用つまみ６０をその押圧部６３が操作つまみ１００の押圧部挿入部１０１から露出するように弾発する弾発手段５０とを具備する。ケース８０下面とロック用つまみ６０の基部６１の双方に、ロック用つまみ６０のスライド方向への移動を係止するとともにロック用つまみ６０の押圧部６３を押圧することで係止を解除する凹凸からなる係合離脱部８３，８５，６７，６９を設ける。【選択図】図１
2005056766.tif 000002
【特許請求の範囲】
【請求項１】
開口部を設けたケースと、
押圧部挿入部を設け前記ケースの開口部の上に設置される操作つまみと、
前記ケースの下面に設置され前記操作つまみと連結されてスライド移動する摺動型物と、
前記ケースと摺動型物の間に設置され上面に押圧部を設けてなるロック用つまみと、
前記ロック用つまみをその押圧部が前記操作つまみの押圧部挿入部から露出するように弾発する弾発手段とを具備し、
前記ケースとロック用つまみとに、ロック用つまみのスライド方向への移動を係止するとともにロック用つまみの押圧部を押圧することで前記係止を解除する係合離脱部を設けたことを特徴とする操作つまみのロック機構。
【請求項２】
前記摺動型物にアームを設けるとともにこのアームに係合部を設け、一方前記ケースの前記摺動型物の係合部が弾接する位置にクリック係合部を設け、摺動型物をスライド移動することで前記係合部とクリック係合部との間でクリック感覚を生じさせることを特徴とする請求項１に記載の操作つまみのロック機構。
【発明の詳細な説明】
【技術分野】
【０００１】
本発明は、操作つまみのロック機構に関するものである。
【背景技術】
【０００２】
従来、スライド式スイッチ等の電子部品の操作つまみ内にロック用つまみの押圧部を突出させておき、所定の位置でロックされた操作つまみを、前記押圧部を押圧することで解除し、そのスライドを可能にする構造の操作つまみのロック機構がある。図４（ａ）はこの種の従来のロック機構を組み込んだスライド式スイッチを示す概略側断面図、図４（ｂ）はその動作説明図である（特許文献１参照）。同図に示すようにこのロック機構は、ケース２７０に設けた貫通孔２７１内にロック用つまみ２７５の基部２７７を上下動自在に収納し、このロック用つまみ２７５を挟むようにケース２７０の上下に操作つまみ２８０と摺動型物２８５をそれぞれ配置し、さらに摺動型物２８５とロック用つまみ２７５の間にコイルバネ２９７を収納することでロック用つまみ２７５を上方向に弾発して構成されている。なお摺動型物２８５の下側にはフレキシブル基板２９５と補強板２９７が配設され、摺動型物２８５の下面に取り付けた摺動子２９０がフレキシブル基板２９５上に印刷された図示しないスイッチパターンに摺接している。
【０００３】
そして図４（ａ）の状態からロック用つまみ２７５の押圧部２７６を押圧してロック用つまみ２７５の基部２７７を摺動型物２８５の収納凹部２８６内に押し込めば、基部２７７と貫通孔２７１が係合することで行われていたロックが解除され、この状態で操作つまみ２８０をスライドすれば、図４（ｂ）に示すように、摺動型物２８５等がこれと一体にスライドし、フレキシブル基板２９５に設けた図示しないスイッチパターンのオンオフ状態が切り替わる。
【０００４】
しかしながら上記従来例においては、以下のような問題点があった。
（１）ロック用つまみ２７５の基部２７７がケース２７０に設けた貫通孔２７１内に係合することでロックする構造なので、基部２７７を挿入するための貫通孔２７１の大きさが大きくなり、このため図４（ｂ）に示すように操作つまみ２８０を一方の方向にスライド移動した際に、そのスライド長さが長いと、操作つまみ２８０の端部から貫通孔２７１が露出してケース２７０内部が見えてしまい、美観を損ねるばかりか、露出した貫通孔２７１の部分からゴミ等が入り易くなってしまう。またこの問題を解決するには、操作つまみ２８０を一方にスライド移動したときでも操作つまみ２８０が貫通孔２７１を覆うように、操作つまみ２８０を大きくすれば良いが、そうするとスライド式スイッチが大型化してしまう。
【０００５】
（２）ロック用つまみ２７５によってロックできる位置はロック用つまみ２７５の基部２７７が貫通孔２７１内に挿入される一箇所に限られ、操作つまみ２８０を別の所定位置においてロックすることができない。
【０００６】
（３）図４（ｂ）に示すように、操作つまみ２８０を一方にスライドさせた状態の時、基部２７７の一方の端部２７８はケース２７０の裏面に当接するが、他方の端部２７９は貫通孔２７１内に位置していて何ものにも当接しないので、コイルバネ２９８の弾発力によって他方の端部２７９側だけが持ち上がってしまい、ロック用つまみ２７５全体が傾いてしまい、その見栄えが悪い。
【特許文献１】特開平８−３２９７７５号公報
【発明の開示】
【発明が解決しようとする課題】
【０００７】
本発明は上述の点に鑑みてなされたものでありその目的は、操作つまみが覆うケースの開口部（貫通孔）を容易に小さくできて小型化が図れ、またロック用つまみによってロックできる位置を所望の一又は複数箇所に設置でき、さらに操作つまみ内に露出するロック用つまみの押圧部が傾くことのない操作つまみのロック機構を提供することにある。
【課題を解決するための手段】
【０００８】
本願の請求項１に記載の発明は、開口部を設けたケースと、押圧部挿入部を設け前記ケースの開口部の上に設置される操作つまみと、前記ケースの下面に設置され前記操作つまみと連結されてスライド移動する摺動型物と、前記ケースと摺動型物の間に設置され上面に押圧部を設けてなるロック用つまみと、前記ロック用つまみをその押圧部が前記操作つまみの押圧部挿入部から露出するように弾発する弾発手段とを具備し、前記ケースとロック用つまみとに、ロック用つまみのスライド方向への移動を係止するとともにロック用つまみの押圧部を押圧することで前記係止を解除する係合離脱部を設けたことを特徴とする操作つまみのロック機構にある。前記係合離脱部は、ケース下面に設けられる凹部又は凸部と、前記ロック用つまみの基部上面に設けられる凸部又は凹部とによって構成することが好ましい。
【０００９】
また本願の請求項２に記載の発明は、前記摺動型物にアームを設けるとともにこのアームに係合部を設け、一方前記ケースの前記摺動型物の係合部が弾接する位置にクリック係合部を設け、摺動型物をスライド移動することで前記係合部とクリック係合部との間でクリック感覚を生じさせることを特徴とする請求項１に記載の操作つまみのロック機構にある。
【発明の効果】
【００１０】
請求項１に記載の発明によれば、従来のようにロック用つまみの基部をケースの開口部内に挿入する必要がなく、開口部を基部に比べて小さく形成することができるので、操作つまみをスライド移動しても前記開口部を操作つまみによって容易に覆うことができる。言い換えれば、操作つまみを大きくする必要がなく、その小型化が図れる。またケースの開口部を操作つまみによって容易に覆えるので、美観を損ねず、同時に開口部の部分からゴミ等が入りにくくなる。
操作つまみをロックする位置を、係合離脱部の設置位置を変更するだけで容易に変更できる。また係合離脱部の設置位置を複数箇所とすることで操作つまみを容易に複数箇所でロックさせることもできる。
ロック用つまみは常にケースの下面側に位置するので、ケースの開口部を小さく構成でき、従ってロック用つまみが開口部内に入り込むことはなく、ロック用つまみが傾くこともない。
【００１１】
請求項２に記載の発明によれば、この操作つまみのロック機構に構造が簡単で容易にクリック機構を備えることができる。
【発明を実施するための最良の形態】
【００１２】
以下、本発明の実施の形態を図面を参照して詳細に説明する。
図１は本発明の一実施の形態にかかる操作つまみのロック機構を組み込んだロック機構付きスライド式電子部品（以下この実施の形態では単に「スライド式スイッチ」という）１の分解斜視図である。また図２はこのスライド式スイッチ１の側断面図であり、図２（ａ），（ｂ）はそれぞれロック状態，ロック解除状態を示している。図１に示すようにスライド式スイッチ１は、取付部材１０上にフレキシブルスイッチ基板２０を載置し、その上にコイルスプリング製の弾発手段５０とロック用つまみ６０を収納した摺動型物３０を設置し、その上にケース８０を被せ、さらにケース８０の上から前記摺動型物３０に固定されるように操作つまみ１００を取り付けて構成されている。以下各構成部品について説明する。
【００１３】
取付部材１０は成形樹脂製（例えばＡＢＳ樹脂製）の板によって構成され、フレキシブルスイッチ基板２０を載置するものである。フレキシブルスイッチ基板２０は可撓性を有する合成樹脂フイルム（例えばポリエチレンテレフタレートフイルム）上にスイッチパターン２１−１〜５を設けて構成されている。一本のスイッチパターン２１−１はコモンのスイッチパターン、他のスイッチパターン２１−２〜５は切換用のスイッチパターンであり、下記する摺動子４７がスイッチパターン２１−２〜５の何れかとコモンのスイッチパターン２１−１とに同時に当接することで、両スイッチパターン間を導通する。
【００１４】
摺動型物３０は成形樹脂製（例えばＰＯＭ樹脂製）であり、略矩形の底板３１の周囲に側壁３３を立設することでその上面中央に収納部３５を形成し、また底板３１の略中央に円形の貫通する支持孔３７を設け、支持孔３７の両側に直線状の貫通する係止孔３９，３９を設け、また摺動型物３０の一方の側面に略Ｔ字形状にアーム４１を設け、さらにアーム４１の摺動型物３０のスライド方向に沿う両先端に摺動型物３０の側面外方に向けた突起状の係合部４３，４３を設けて構成されている。なお側壁３３の両側部には、切り欠き部４５，４５が設けられている。この摺動型物３０の下面には、前記フレキシブルスイッチ基板２０のスイッチパターン２１−２〜５上を摺動する金属板製の摺動子４７（図２（ａ）参照）が取り付けられている。
【００１５】
ロック用つまみ６０は成形樹脂製（例えばＡＢＳ樹脂製）であり、平板状で前記摺動型物３０の収納部３５内に上下動自在に収納される基部６１と、基部６１の上面から突出する押圧部６３とを具備して構成されている。基部６１の前記摺動型物３０の係止孔３９，３９に対向する位置には、それぞれ係止孔３９，３９よりも少しその大きさを大きくした挿通孔６５，６５を設けている。また基部６１の上面の押圧部６３の両側には凸状の係合離脱部６７，６９が設けられている。係合離脱部６７の幅（スライド方向の長さ）は係合離脱部６９の幅よりも小さく形成されている。また基部６１の下面の略中央からは前記摺動型物３０に設けた支持孔３７に上下動自在に挿入される支持突起７１（図２（ａ）参照）が設けられ、さらに支持突起７１の周囲には凹状のバネ受け７３（図２（ａ）参照）が設けられている。
【００１６】
ケース８０は成形樹脂製（例えばＡＢＳ樹脂製）であり、下面中央部に摺動型物３０がスライド可能に移動できる空間を有している、スライド方向の寸法が長い、スライド方向に直交する断面が下面が開放している略コ字状の直方体形状であり、その上面に矩形状の開口部（以下「貫通孔」という）８１を設け、またケース８０下面の貫通孔８１の両側部に凹状の係合離脱部８３，８５を設け、さらにケース８０の一方の側壁８７の内側面に、スライド方向に向けて凹凸を繰り返す凹凸形状を有するクリック係合部８９を設けて構成されている。
【００１７】
操作つまみ１００は成形樹脂（例えばＡＢＳ樹脂）を略矩形状に成形して構成されており、その中央には前記ロック用つまみ６０の押圧部６３を上下動自在に貫通する押圧部挿入部１０１が設けられている。操作つまみ１００下面の押圧部挿入部１０１の両側には、板状のガイド部材１０３，１０３が突出して設けられており、その先端にはカシメ部１０５が設けられている。両ガイド部材１０３，１０３は前記ロック用つまみ６０の挿通孔６５，６５及び摺動型物３０の係止孔３９，３９に挿入される位置に設けられている。
【００１８】
そしてスライド式スイッチ１を組み立てるには、ケース８０の貫通孔８１にその上面側から操作つまみ１００の二本のガイド部材１０３，１０３を挿入する。次にケース８０の下面側にロック用つまみ６０を配置し、その際ロック用つまみ６０の押圧部６３を操作つまみ１００の押圧部挿入部１０１に挿入し、同時に操作つまみ１００のガイド部材１０３，１０３をロック用つまみ６０の挿通孔６５，６５に挿入する。次にロック用つまみ６０下面の支持突起７１に上下方向に弾発するコイルスプリングから成る弾発手段５０を挿入する。
【００１９】
次にロック用つまみ６０の下面側に摺動型物３０を配置して、ロック用つまみ６０の基部６１を摺動型物３０の収納部３５内に収納し、その際ロック用つまみ６０の支持突起７１を摺動型物３０の支持孔３７にスライド自在に挿入すると共に、操作つまみ１００のカシメ部１０５，１０５を係止孔３９，３９に挿入する。このとき摺動型物３０の二つの係合部４３，４３はそれぞれケース８０のクリック係合部８９に弾接する。そしてカシメ部１０５，１０５の先端を摺動型物３０の下面で熱カシメすることで、摺動型物３０と操作つまみ１００とを一体に固定する。そして摺動型物３０等を取り付けたケース８０の下側にフレキシブルスイッチ基板２０と取付部材１０とを配置してケース８０と取付部材１０間を図示しない固定手段で固定すれば、スライド式スイッチ１が完成する。
【００２０】
スライド式スイッチ１は、図２（ａ）に示すように、貫通孔８１を設けたケース８０と、押圧部挿入部１０１を設けケース８０の貫通孔８１の上に設置される操作つまみ１００と、ケース８０の下面に設置され操作つまみ１００と連結されてスライド移動する摺動型物３０と、ケース８０と摺動型物３０の間に設置される基部６１の上面に操作つまみ１００の押圧部挿入部１０１内に挿入される押圧部６３を設けてなるロック用つまみ６０と、ロック用つまみ６０をその押圧部６３が操作つまみ１００の押圧部挿入部１０１から露出するように弾発する弾発手段５０とを具備して構成されている。
【００２１】
ここで図２（ａ）に示す状態は、ケース８０下面に設けた係合離脱部８３，８５に、ロック用つまみ６０の上面に設けた係合離脱部６７，６９が係合したときの状態を示しており、従って操作つまみ１００のスライド方向への移動はロックされている。またこのとき摺動子４７はフレキシブルスイッチ基板２０のスイッチパターン２１−１，２１−３に当接してこれらの間を導通している。
【００２２】
ロックされている操作つまみ１００を操作するには、まず図２（ａ）に示す状態のロック用つまみ６０の押圧部６３を、弾発手段５０の弾発力に抗して押し下げ、図２（ｂ）に示すようにロック用つまみ６０の基部６１を摺動型物３０の収納部３５内に押し込み、これによって前記ケース８０下面の係合離脱部８３，８５とロック用つまみ６０上面の係合離脱部６７，６９との係合（ロック）を解除する。そして押圧部６３を押し下げた状態のまま操作つまみ１００をスライド移動すれば、操作つまみ１００及びこれに固定された摺動型物３０等が同時にスライド移動し、摺動子４７がスイッチパターン２１−１とスイッチパターン２１−２〜５上を摺動し、それらの導通状態を切り換える。操作つまみ１００をスライド移動させる際、摺動型物３０に設けた係合部４３，４３が、ケース８０に設けた凹凸状のクリック係合部８９を乗り越えるので、クリック係合部８９を乗り越える度にクリック感覚が生じ、且つクリック係合部８９の凹状の部分において係止される。従ってこのスライド式スイッチ１の場合は、各係合部４３に対してクリック係合部８９の凹部が四つあるので四箇所が停止位置となり、その内の一箇所がロック位置となっている。図３（ａ），（ｂ），（ｃ）は、ロック位置以外のそれぞれの停止位置を示している。そして図３（ａ），（ｂ），（ｃ）の各停止位置において、それぞれスイッチパターン２１−１，２１−２間、スイッチパターン２１−１，２１−４間、スイッチパターン２１−１，２１−５間が導通する。
【００２３】
このスライド式スイッチ１に適用されているロック機構は、ケース８０下面とロック用つまみ６０の基部６１とに、ロック用つまみ６０のスライド方向への移動を係止するとともにロック用つまみ６０の押圧部６３を押圧することで前記係止を解除する係合離脱部６７，６９，８３，８５を設ける構造なので、前記図４に示す従来例のようにロック用つまみ２７５の基部２７７をケース２７０の貫通孔２７１内に挿入する必要がなく、貫通孔８１を基部６１に比べて小さく形成することができる（貫通孔８１のスライド方向の長さは両ガイド部材１０３，１０３の間隔に操作つまみ１００のストロークを加えた長さとなる）。即ち従来は図４にて操作つまみ２８０のガイド部２８１の外方（Ｌ寸法）にある端部２７８とケース２７０の開口部２７１の端部にて係合・離脱しているため、Ｌ寸法分のスライド方向の開口部２７１寸法が必要であったが、本発明では前述のように貫通孔８１のスライド方向の長さは両ガイド部材１０３，１０３の間隔に操作つまみ１００のストロークを加えた長さとなり、従来例で必要なＬ寸法は不要になり、Ｌ寸法分に相当する貫通孔８１寸法を従来と比して小さくとることができる。従って操作つまみ１００をスライド移動しても前記貫通孔８１を操作つまみ１００によって容易に覆うことができ、操作つまみ１００を大きくする必要もなく、スライド式スイッチ１の小型化が図れる。また操作つまみ１００をロックする位置は、ケース８０下面とロック用つまみ６０の基部６１への係合離脱部６７，６９，８３，８５の設置位置を変更するだけで容易に変更でき、また係合離脱部６７，６９，８３，８５の設置位置を複数箇所とすることで操作つまみ１００を容易に複数箇所でロックさせることもできる。またロック用つまみ６０の基部６１は常にケース８０の下面に位置するので、ケース８０の貫通孔８１を基部６１よりも小さく構成でき、従って基部６１が貫通孔８１内に入り込むことはなく、ロック用つまみ６０が傾くこともない。
【００２４】
以上本発明の実施の形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、ロック用つまみ６０とケース８０に設けた係合離脱部６７，８３の形状と係合離脱部６９，８５の形状とを異ならせたのは、ロック用つまみ６０の設置向きを逆向きにしないようにするためであるが、逆向きに設置しても良いのであれば、これらを同一形状としても良い。また係合離脱部６７，８３と係合離脱部６９，８５は何れか一組のみを設けて他の組は省略しても良い。また上記実施の形態ではケース８０側の係合離脱部８３，８５を凹部とし、ロック用つまみ６０側の係合離脱部６７，６９を凸部としたが、逆に、ケース８０側の係合離脱部８３，８５を凸部とし、ロック用つまみ６０側の係合離脱部６７，６９を凹部としてもよい。さらに係合離脱部は、凹凸形状以外の種々の形状のものでも良く、要はケース８０下面とロック用つまみ６０の基部６１とに、ロック用つまみ６０のスライド方向への移動を係止するとともにロック用つまみ６０の押圧部６３を押圧することで前記係止を解除する係合離脱部であればどのような形状・構造のものであってもよい。
【００２５】
また本発明にかかる操作つまみのロック機構は、スライド式スイッチ用に限定されるものではなく、スライド式可変抵抗器等の他の各種スライド式電子部品や、更にその他のスライド移動する操作つまみを有する機構にも取り付けることが可能である。更に本発明は直線方向にスライドするスライド式電子部品に限らず、円周上にスライドする回転式電子部品にも適用できる。また上記実施の形態では弾発手段としてコイルスプリングを用いたが、板バネ等、他の各種弾発手段を用いても良い。要はロック用つまみをその押圧部が操作つまみの挿入孔から露出するように弾発する弾発手段であればどのようなものでも良い。
【図面の簡単な説明】
【００２６】
【図１】本発明の一実施の形態にかかる操作つまみのロック機構を組み込んだスライド式スイッチ１の分解斜視図である。
【図２】スライド式スイッチ１の側断面図（図１のＡ−Ａ線上断面図）であり、図２（ａ），（ｂ）はそれぞれロック状態，ロック解除状態を示している。
【図３】図３（ａ），（ｂ），（ｃ）は、それぞれロック位置以外での操作つまみ１００の停止位置を示す図である。
【図４】図４（ａ）は従来のロック機構を組み込んだスライド式スイッチを示す概略側断面図、図４（ｂ）はその動作説明図である。
【符号の説明】
【００２７】
１          スライド式スイッチ（ロック機構付きスライド式電子部品）
１０        取付部材
２０        フレキシブルスイッチ基板
３０        摺動型物
４７        摺動子
５０        弾発手段
６０        ロック用つまみ
６１        基部
６３        押圧部
６７，６９  係合離脱部
８０        ケース
８１        貫通孔（開口部）
８３，８５  係合離脱部
１００      操作つまみ
１０１      押圧部挿入部
【図１】
2005056766.tif 000003
【図２】
2005056766.tif 000004
【図３】
2005056766.tif 000005
【図４】
2005056766.tif 000006